(57)【要約】【課題】水中に生息する幼稚魚を鳥の捕食から保護することが可能であると共に、幼稚魚にとって快適な生息環境を提供することが可能であり、また、設置や回収、人工海藻の交換などの各種作業を簡易にかつ適切に行うことが可能な幼稚魚の保護礁を提供する。【解決手段】水底Ｂに固定されて立設されるポスト２と、水中Ｗで垂れ下がる多数の人工海藻片５を有し、ポストの周囲に取り付けて設置される人工海藻組立体３と、ポストの周囲に、人工海藻組立体の設置位置よりも上方に位置させて取り付けられ、その取付位置よりも下方を、取付位置上方の水面Ｓ側から遮る鍔部材４とを備えた。【選択図】図８
2016086651.tif 000002
【特許請求の範囲】
【請求項１】
水底に固定されて立設されるポストと、
水中で垂れ下がる多数の人工海藻片を有し、該ポストの周囲に取り付けて設置される人工海藻組立体と、
上記ポストの周囲に、上記人工海藻組立体の設置位置よりも上方に位置させて取り付けられ、その取付位置よりも下方を、取付位置上方の水面側から遮る鍔部材とを備えたことを特徴とする幼稚魚の保護礁。
【請求項２】
前記人工海藻組立体は、前記ポストの周囲に巻き付けて取り付けられる長さを有する巻き付け部材を有し、多数の前記人工海藻片は、上記巻き付け部材に対し敷き並べられ、該巻き付け部材に接合して取り付けられることを特徴とする請求項１に記載の幼稚魚の保護礁。
【請求項３】
多数の前記人工海藻片は、前記ポストの周長を越える取付範囲で、前記巻き付け部材に取り付けられることを特徴とする請求項２に記載の幼稚魚の保護礁。
【請求項４】
前記人工海藻組立体は、前記ポストにその高さ方向に沿って複数段で設けられる場合、高さ方向に隣り合うこれら人工海藻組立体同士が上下に一部重なり合うように設けられることを特徴とする請求項１〜３いずれかの項に記載の幼稚魚の保護礁。
【発明の詳細な説明】
【技術分野】
【０００１】
本発明は、水中に生息する幼稚魚を鳥の捕食から保護することが可能であると共に、幼稚魚にとって快適な生息環境を提供することが可能であり、また、設置や回収、人工海藻の交換などの各種作業を簡易にかつ適切に行うことが可能な幼稚魚の保護礁に関する。
【背景技術】
【０００２】
海、湖、池、河川などで、幼稚魚に快適な生息環境を提供する技術として、特許文献１が知られている。特許文献１の「底棲魚類幼稚魚用魚礁」は、底棲魚類に代表されるキジハタの幼稚魚をシェルター式の魚礁内に放流すると、天敵魚（カサゴ）から保護することができる、また、シェルター式の魚礁内にキジハタの幼稚魚を放流すると、天敵魚（カサゴ）から保護しつつ安全に分散させることができる。このような場合に用いるのに最適な魚礁を得る、との目的に対し、底部および頂部が開放された底広がり状の側面台形状の筒体の頂部に、左右２枚の枠体を開閉自在に取り付ける。両枠体の裏側に幼稚魚（キジハタ）は通過可能で、天敵魚（カサゴ）は通過不可能な網目を有する網体を取り付ける。筒体の底部に、底板を取り付ける。本魚礁は、筒体の底部が海底にほぼ接するように設置し、魚礁の内部および外部に人工海藻を取り付けるという構成を備えている。
【先行技術文献】
【特許文献】
【０００３】
【特許文献１】特開平７−１８４５０９号公報
【発明の概要】
【発明が解決しようとする課題】
【０００４】
背景技術の魚礁では、内部および外部に人工海藻を取り付け、筒体頂部には、人工海藻を取り付けずに、幼稚魚が通過可能な網体を設けている。このため、筒体の頂部周辺では、人工海藻による影ができにくく、幼稚魚が身を隠せる隠れ場所が少ない。また、幼稚魚が出入りできるのは、隠れ場所の少ない筒体頂部の網体に限られている。これらのことから、幼稚魚が筒体の頂部周辺、すなわち海面付近を泳いでいるとき、鳥に捕食されやすいという問題があった。
【０００５】
また、筒体は、頂部だけが開放されて、側面および底部が塞がれているため、内部に海水等が溜まっていて、魚礁を交換するとき、重さが重く、引き揚げるのが困難であった。
【０００６】
人工海藻の魚礁への取り付け形態が一本一本個別であると、人工海藻の本数を増やせば増やすほど、人工海藻の交換に手間取ってしまう。人工海藻の取付本数を減らすと、人工海藻同士の間の空間が広くなりがちで、幼稚魚の隠れ場所を十分に確保することが難しくなってしまう。
【０００７】
魚礁を設置するとき、筒体の底部を海底に固定する必要がある。海底に障害物がある場合には、筒体底部を固定する範囲およびその周辺から障害物を除去しなければならないため、設置作業に手間がかかってしまう。また、魚礁を平坦な海底に設置できないと、人工海藻が片寄ってしまって、幼稚魚の隠れ場所が、筒体周りに均等に確保されずに、狭まってしまうという問題があった。
【０００８】
本発明は上記従来の課題に鑑みて創案されたものであって、水中に生息する幼稚魚を鳥の捕食から保護することが可能であると共に、幼稚魚にとって快適な生息環境を提供することが可能であり、また、設置や回収、人工海藻の交換などの各種作業を簡易にかつ適切に行うことが可能な幼稚魚の保護礁を提供することを目的とする。
【課題を解決するための手段】
【０００９】
本発明にかかる幼稚魚の保護礁は、水底に固定されて立設されるポストと、水中で垂れ下がる多数の人工海藻片を有し、該ポストの周囲に取り付けて設置される人工海藻組立体と、上記ポストの周囲に、上記人工海藻組立体の設置位置よりも上方に位置させて取り付けられ、その取付位置よりも下方を、取付位置上方の水面側から遮る鍔部材とを備えたことを特徴とする。
【００１０】
前記人工海藻組立体は、前記ポストの周囲に巻き付けて取り付けられる長さを有する巻き付け部材を有し、多数の前記人工海藻片は、上記巻き付け部材に対し敷き並べられ、該巻き付け部材に接合して取り付けられることを特徴とする。
【００１１】
多数の前記人工海藻片は、前記ポストの周長を越える取付範囲で、前記巻き付け部材に取り付けられることを特徴とする。
【００１２】
前記人工海藻組立体は、前記ポストにその高さ方向に沿って複数段で設けられる場合、高さ方向に隣り合うこれら人工海藻組立体同士が上下に一部重なり合うように設けられることを特徴とする。
【発明の効果】
【００１３】
本発明にかかる幼稚魚の保護礁にあっては、水中に生息する幼稚魚を鳥の捕食から保護することができると共に、幼稚魚にとって快適な生息環境を提供することができ、また、設置や回収、人工海藻の交換などの各種作業を簡易にかつ適切に行うことができる。
【図面の簡単な説明】
【００１４】
【図１】本発明に係る幼稚魚の保護礁の好適な一実施形態を示す側面図である。
【図２】図１に示した幼稚魚の保護礁を上から見下ろした図である。
【図３】図１に示した幼稚魚の保護礁に備えられる人工海藻組立体を平面的に展開した様子を示す図である。
【図４】図３に示した人工海藻組立体の人工海藻片と巻き付け部材との接合状態を説明する説明図である。
【図５】図３に示した人工海藻組立体の巻き付け部材をポストに取り付けた状態を説明する概略説明図である。
【図６】図３に示した人工海藻組立体をポストに取り付けた状態を説明する説明図である。
【図７】図１に示した幼稚魚の保護礁を水底に設置する作業状態を説明する説明図である。
【図８】図１に示した幼稚魚の保護礁を水底に設置した状態を示す側面図である。
【図９】図８に示した、水底に設置された幼稚魚の保護礁の斜視図である。
【図１０】図１に示した幼稚魚の保護礁のポストに人工海藻組立体を上下二段で取り付けた場合の側面図である。
【発明を実施するための形態】
【００１５】
以下に、本発明にかかる幼稚魚の保護礁の好適な実施形態を、添付図面を参照して詳細に説明する。図１は、本実施形態に係る幼稚魚の保護礁の側面図、図２は、図１に示した幼稚魚の保護礁を上から見下ろした図、図３は、図１に示した幼稚魚の保護礁に備えられる人工海藻組立体を平面的に展開した様子を示す図、図４は、図３に示した人工海藻組立体の人工海藻片と巻き付け部材との接合状態を説明する説明図、図５は、図３に示した人工海藻組立体の巻き付け部材をポストに取り付けた状態を説明する説明図、図６は、図３に示した人工海藻組立体をポストに取り付けた状態を説明する説明図、図７は、図１に示した幼稚魚の保護礁を水底に設置する様子を説明する説明図、図８は、図１に示した幼稚魚の保護礁を水底に設置した状態を示す側面図、図９は、図８に示した、水底に設置された幼稚魚の保護礁の斜視図、図１０は、図１に示した幼稚魚の保護礁のポストに人工海藻組立体を上下二段で取り付けた場合の側面図である。
【００１６】
本実施形態に係る幼稚魚の保護礁１は、図１および図２に示すように、上下方向長さを有する真っ直ぐな杭体状もしくは棒体状のポスト２と、ポスト２に設置される人工海藻組立体３と、人工海藻組立体３の設置位置よりも上方に位置させてポスト２に取り付けられる鍔部材４とから構成される。幼稚魚の保護礁１は、海、湖、池、河川など、天然や養殖の幼稚魚が生息する箇所に設置される。幼稚魚の保護礁１を構成する部材はすべて、耐腐食性材料で形成される。
【００１７】
ポスト２は、ＦＲＰ製もしくは金属製であって、上下端に開口を有する中空筒体状に形成される。ポスト２は、下端部２ａ側が水底Ｂ（海底を含む、以下同様）に埋め込まれて固定され、水底Ｂから水中Ｗ（海中を含む、以下同様）に向けて立設される（図８，１０参照）。
【００１８】
ポスト２の上下方向長さは、下端部２ａ側が水底Ｂに埋設固定された状態で、上端部２ｂ側が水面Ｓ（海面を含む、以下同様）から上方へ露出する長さ、もしくは上端部２ｂ側が水面Ｓ近くに達する長さとされる。
【００１９】
人工海藻組立体３は、多数の人工海藻片５を有し、ポスト２の周囲に取り付けて設置される。各人工海藻片５は、ポリプロピレンやポリエステル等の合成樹脂製であって、可撓変形自在な柔らかい紐状もしくは帯状の長尺部材で形成される。人工海藻片５の比重等の素材特性は、水中Ｗで垂れ下がるものであって、このような素材は実験等を通じて選定すればよい。
【００２０】
人工海藻組立体３は詳細には、図３及び図４に示すように、多数の人工海藻片５と、巻き付け部材６とから構成される。巻き付け部材６は、ナイロン等の合成樹脂製の可撓変形自在な柔らかい部材であって、ポスト２の周囲に巻き付けて取り付けることができる、帯状もしくはベルト状の長尺部材で形成される。巻き付け部材６の長さ寸法は、少なくともポスト２の周囲に巻き付けて取り付けられる長さで形成される。
【００２１】
図示例にあっては、巻き付け部材６は、平筒状のチューブ６ａと、チューブ６ａに挿通される結束バンド６ｂで構成されている。チューブ６ａ及び結束バンド６ｂは、合成樹脂材で形成される。巻き付け部材６は、結束バンド６ｂ単体であっても良い。結束バンド６ｂとは、長さ方向一端に係合爪が突設されたバックル部６ｃを有し、長さ方向他端６ｄ側に、係合爪に引っ掛けられる突起が当該結束バンド６ｂの長さ方向に沿って多数配列され、他端６ｄ側をバックル部６ｃに挿入して締め付けたときに、いずれかの突起が係合爪に係合されて、締め付け状態が保持されるものをいう。
【００２２】
巻き付け部材６による巻き付けはもちろん、結束バンド６ｂを用いた締め付けに限らず、帯状やベルト状の長尺部材を縛り付けるなど、巻き付けた状態を保持できる取り付け方であれば、どのようなものであっても良い。
【００２３】
人工海藻片５の巻き付け部材６への取り付けは図３に示すように、人工海藻片５一本一本の長さ方向の両端がおおよそ揃うように、これら多数の人工海藻片５が引き揃えられて平面的に敷き並べられ、これに対し巻き付け部材６は、その長さ方向がこれら人工海藻片５の長さ方向と交差する向き（例えば直交する向き）に向けられ、その状態で両者が接合される。言い換えれば、長尺な巻き付け部材６に対し、多数の人工海藻片５個々が当該巻き付け部材６と交差する方向に敷き並べられ、その状態で人工海藻片５が巻き付け部材６に接合されて取り付けられる。
【００２４】
巻き付け部材６と人工海藻片５とは、接着や融着で接合される。図４には、人工海藻片５と巻き付け部材６との接合状態が示されている。図４（Ａ）に示すように、敷き並べた人工海藻片５の上に巻き付け部材６を載せて接合しても良いし、人工海藻片５の長さ方向中途部分を分断して、巻き付け部材６の幅方向両側部に、分断した人工海藻片５の端部を接合するようにしても良い。
【００２５】
人工海藻片５の巻き付け部材６への接合位置は図示例では、人工海藻片５の長さ方向ほぼ中央とされているが、人工海藻片５の長さ方向両端部うち、いずれかの端部に寄せて、すなわち人工海藻片５の端に寄せるようにしても良い。人工海藻片５の中央に巻き付け部材６を接合すれば、図６に示すように、巻き付け部材６周辺で折り返すことで、人工海藻片５は短尺で、人工海藻片５同士の重なりが密集した形態となる。人工海藻片５の端に巻き付け部材６を接合すれば、図示しないけれども、人工海藻片５は長尺で、人工海藻片５同士の重なりが少ない形態となる。
【００２６】
図５に示すように、人工海藻組立体３は、巻き付け部材６をポスト２の周囲に取り外し可能に巻き付けて取り付けることで、幼稚魚の保護礁１に備えられる。多数の人工海藻片５は、ポスト２の周長を越える取り付け範囲Ｒで、巻き付け部材６に取り付けることが好ましい（図３参照）。
【００２７】
このように構成することで、人工海藻片５はポスト２周りに、隙間が生じることなく、設置される。すなわち、巻き付け部材６の長さ寸法及び巻き付け部材６に対する多数の人工海藻片５の敷き並べ寸法Ｒを、ポスト２の周長を越えるように設定すればよい。
【００２８】
図３に示した構成の人工海藻組立体３をポスト２に設置すると、図６に示すように人工海藻片５は、ポスト２に巻き付けられた巻き付け部材６で折り返され、巻き付け部材６の幅方向の一方から垂れ下がる人工海藻片５を内側として、幅方向の他方から垂れ下がる人工海藻片５が内側の人工海藻片５の外側に重なるように垂れ下がる。これにより、巻き付け部材６による折り返しを利用して、内側の人工海藻片５Ａと外側の人工海藻片５Ｂとの間に、外側の人工海藻片５で覆われた遊泳通路Ｐが形成される。
【００２９】
ポスト２に設置された人工海藻片５は、水底Ｂに接し得る程度の高さ位置を含め、水中Ｗのいずれかの高さ位置に設置される。
【００３０】
鍔部材４は、ＦＲＰ製もしくは金属製であって、ポスト２に一体的に設けられる。鍔部材４とポスト２とは、一体成形しても良いし、別々に作製して接着剤などで接合して一体化しても良い。鍔部材４は、ポスト２の周囲に、人工海藻組立体３の設置位置よりも上方に位置させて取り付けられ、取付位置よりも下方を、取付位置上方の水面Ｓ側から遮るようになっている。
【００３１】
図示例では鍔部材４は円盤状であるが、ポスト２への取付位置上方を水面Ｓ側から遮る形態であれば、盤状でなくても良く、また円形でなくても良い。
【００３２】
鍔部材４は、その下方に設置される人工海藻組立体３を設定した広がりで水面Ｓ側から遮る機能を有する。すなわち、人工海藻組立体３は、鍔部材４の真下に設けられる。図示例では、鍔部材４は、人工海藻組立体３の直上であって、ポスト２の上端部２ｂ側に設けられている。鍔部材４とポスト２の上端２ｃとの間には、鍔部材４から上方へ突出する形態で、適宜長さの突出部７が形成される。
【００３３】
突出部７は、幼稚魚の保護礁１の位置を示す目印になると同時に、メンテナンス等のために当該保護礁１を回収する際の掴み部分として利用される。鍔部材４はもちろん、その取付位置よりも下方を、取付位置上方の水面Ｓ側から遮る作用を有する限り、ポスト２の上端２ｃに設けても良いことはもちろんである。
【００３４】
鍔部材４と人工海藻組立体３の人工海藻片５との寸法関係は設計上、図２に示すように、鍔部材４が外径寸法Ｄの円盤状であって、人工海藻組立体３については、平らな場所で円形状に平らに展開された人工海藻片５が外径寸法ｄであるとき、鍔部材４の外径寸法Ｄは、設置位置下方の人工海藻片５を上方から覆いつつ、日差し等が人工海藻片５の外縁側に達するように、人工海藻片５の外径寸法ｄに対し、ｄ／２≦Ｄ＜ｄに設定される。
【００３５】
次に、本実施形態に係る幼稚魚の保護礁１の作用について説明する。まず、幼稚魚の保護礁１の製作について説明すると、例えば、鍔部材４付きのポスト２を一体成形する。他方、人工海藻片５を巻き付け部材６に接合して取り付けて、人工海藻組立体３を作製する。そして、巻き付け部材６をポスト２に巻き付けることにより、鍔部材４下に人工海藻片５を設ける。
【００３６】
次に、水底Ｂへの設置について、図７〜図９を用いて説明する。幼稚魚の保護礁１を現場に搬入し、ポスト２の下端２ｄを水底Ｂに載置する。次いで、圧縮空気を吐出するポンプ８の吐出口に接続したホース９を、ポスト２の上端２ｃから挿入し、ポスト２を水底Ｂに押し付けつつ、圧縮空気をポスト２の内空部に供給する。
【００３７】
圧縮空気により、ポスト２の下端部２ａ側周囲から、泥や砂、礫が、水と共に押し出され、これによって、水底Ｂに押し付けているポスト２の下端部２ａ側が水底Ｂに埋設されていって固定され、ポスト２が水中Ｗに立設される。立設されたポスト２は、鍔部材４が水面Ｓ下に位置され、かつ上方の突出部７が水面Ｓから上方へ露出されるか、あるいは突出部７（ポスト２の上端２ｃ）が水面Ｓ近くに位置される。
【００３８】
また他方、幼稚魚の保護礁１を回収する際には、突出部７もしくは鍔部材４を掴んで引き抜く。これにより、水底Ｂからポスト２の下端部２ａ側が引き抜かれて、当該保護礁１が水中Ｗから引き揚げられる。
【００３９】
以上説明した本実施形態に係る幼稚魚の保護礁１にあっては、水底Ｂに固定されたポスト２周囲に、水中Ｗで垂れ下がる多数の人工海藻片５を備えているので、幼稚魚が集まる生息環境を作り出すことができる。ポスト２の周囲に、人工海藻組立体３の設置位置よりも上方に位置させて、その取付位置よりも下方を、取付位置上方の水面Ｓ側から遮る鍔部材４を取り付けたので、鍔部材４によって確実に幼稚魚が身を隠す影を作り出すことができ、鍔部材４下の人工海藻片５周りで泳ぐ幼稚魚が鳥などによって捕食されることを防ぐことができる。
【００４０】
本実施形態にかかる幼稚魚の保護礁１は、上下端に開口を有する中空筒状のポスト２を主体として構成されていて、交換や回収をするとき、突出部７や鍔部材４を把持して引き抜けば、ポスト２内部の水等が抜けるので、作業時に軽量であって、容易に引き揚げることができる。
【００４１】
人工海藻片５を有する人工海藻組立体３を構成したので、この人工海藻組立体３をポスト２に取り付けることで人工海藻片５をポスト２に設置することができ、人工海藻片５一本一本を個別にポスト２に取り付けるのに比して、きわめて簡便に人工海藻片５を設けることができる。従って、人工海藻片５を手間なく多数取り付けることができ、これら多数の人工海藻片５によって幼稚魚の隠れ場所を十分に確保することができる。
【００４２】
杭体のようなポスト２を主体とする幼稚魚の保護礁１であるので、水底Ｂに障害物があっても差し障りなく、あるいはそれらを押し退けて容易にかつ確実に設置することができ、設置作業が簡便であると共に、杭状形態であるので、水底Ｂが平坦でない場合であっても、傾かないように立てて設置することができ、これによりポスト２周りで人工海藻片５が片寄ることはなく、幼稚魚の隠れ場所を、ポスト２周囲に均等に広がりを持って十分に確保することができる。
【００４３】
このように本実施形態に係る幼稚魚の保護礁１は、水中に生息する幼稚魚を鳥の捕食から保護することができると共に、幼稚魚にとって快適な生息環境を提供することができ、また、設置や回収、人工海藻片５の交換などの各種作業を簡易にかつ適切に行うことができる。
【００４４】
人工海藻組立体３は、ポスト２の周囲に巻き付けて取り付けられる長さを有する巻き付け部材６を有し、多数の人工海藻片５は、巻き付け部材６に対し敷き並べられ、巻き付け部材６に接合して取り付けられるので、巻き付け部材６をポスト２に巻き付けて取り付けるだけで、幼稚魚の保護礁１に効率良く多数の人工海藻片５を備えることができる。
【００４５】
人工海藻片５を敷き並べて巻き付け部材６に接合して取り付けるので、人工海藻片５がいかに多数であっても、敷き並べにより一挙にかつ容易に巻き付け部材６に取り付けることができる。
【００４６】
人工海藻片５の長さ方向両端間のどの位置に対しても、巻き付け部材６を取り付けることができ、人工海藻片５の中央に取り付けた場合には、人工海藻片５を内側と外側とで折り返して二重にすることで、幼稚魚の隠れ場所を倍増できると同時に、二重にした隙間を幼稚魚の遊泳通路Ｐとすることができる。他方、人工海藻片５の端に取り付けた場合には、人工海藻片５同士の重なりが少なく広がりが得られて、比較的大きな幼稚魚が泳ぎやすくすることができる。
【００４７】
巻き付け部材６を合成樹脂製とすることで、ポスト２に巻き付けられた巻き付け部材６をカッタなどの切断具で切断すれば、古い人工海藻組立体３をきわめて容易に一挙に撤去することができ、円滑に新しい人工海藻組立体３に交換することができる。
【００４８】
多数の人工海藻片５は、ポスト２の周長を越える取付範囲Ｒで、巻き付け部材６に取り付けられるので、ポスト２周りで人工海藻片５に隙間が生じることを防ぐことができ、鳥などによる幼稚魚の捕食を適切に防止することができる。
【００４９】
鍔部材４は、外径寸法Ｄの円盤状であり、人工海藻組立体３は、円形状に平らに展開された人工海藻片５が外径寸法ｄであって、鍔部材４の外径寸法Ｄは、人工海藻片５の外径寸法ｄに対し、１／２ｄ≦Ｄ＜ｄに設定されるので、鳥などによる捕食を防ぎつつ、人工海藻片５の外縁側に日差し等を届かせることができ、幼稚魚に好適な生息環境を作り出すことができる。
【００５０】
上記実施形態にあっては、ポスト２に単一の人工海藻組立体３を設ける場合について説明したが、図１０に示したように、人工海藻組立体３は、ポスト２にその高さ方向に沿って、二段以上、複数段設けるようにしても良い。
【００５１】
この場合には、高さ方向に隣り合う人工海藻組立体３同士が上下に一部重なり合うように設けられる。具体的には、上方の人工海藻組立体３Ａの人工海藻片５の下端（図中、下端位置をＦで示す）が、下方の人工海藻組立体３Ｂの人工海藻片５の上端（図中、上端位置をＧで示す）を覆うように設けられる。このようにすれば、人工海藻組立体３を多段に設けて幼稚魚の生息環境を広く確保したい場合に、ポスト２の高さ方向に人工海藻片５が隙間なく配設され、幼稚魚の保護礁１に進入した幼稚魚を適切に保護することができる。
【符号の説明】
【００５２】
１  幼稚魚の保護礁
２  ポスト
３  人工海藻組立体
４  鍔部材
５  人工海藻片
６  巻き付け部材
Ｂ  水底
Ｄ  鍔部材の外径寸法
ｄ  円形状に平らに展開された人工海藻片の外径寸法
Ｒ  人工海藻片の取付範囲
Ｓ  水面
Ｗ  水中
【図１】
2016086651.tif 000003
【図２】
2016086651.tif 000004
【図３】
2016086651.tif 000005
【図４】
2016086651.tif 000006
【図５】
2016086651.tif 000007
【図６】
2016086651.tif 000008
【図７】
2016086651.tif 000009
【図８】
2016086651.tif 000010
【図９】
2016086651.tif 000011
【図１０】
2016086651.tif 000012